(57)【要約】【課題】  冷凍機取り外しの作業性を向上させると共に、均一静磁場空間領域を形成する主磁石の磁場の影響を冷凍機が受け難くいようにする。【解決手段】  冷凍機１４により冷却される冷媒液2017を夫々内蔵した第１及び第２のクライオスタット部２，４を当該第１及び第２のクライオスタット部の相互間に当該第１及び第２のクライオスタット部の内蔵主磁石１，３による均一静磁場空間領域８が存在する空間７が形成されように当該第１及び第２のクライオスタット部に跨って延在して連結する連結柱部５を備えた磁石装置において、前記連結柱部の前記延在方向の投影面上に前記冷凍機を配設すると共に、前記冷凍機を通る前記主磁石の外域磁場を打ち消す方向に磁場を発生する外域磁場打消磁石１０〜１３を設けた。【選択図】図２
2005185550.tif 000002
【特許請求の範囲】
【請求項１】
冷凍機により冷却される液冷媒を夫々内蔵した第１及び第２のクライオスタット部を当該第１及び第２のクライオスタット部の相互間に当該第１及び第２のクライオスタット部の内蔵主磁石による均一静磁場空間領域が存在する空間が形成されように当該第１及び第２のクライオスタット部に跨って延在して連結する連結柱部を備えた磁石装置において、前記連結柱部の前記延在方向の投影面上に前記冷凍機を配設すると共に、前記冷凍機を通る前記主磁石の外域磁場を打ち消す方向に磁場を発生する外域磁場打消磁石を設けたことを特徴とする磁石装置。
【請求項２】
請求項１に記載の磁石装置において、前記冷凍機を、前記第１及び第２のクライオスタット部に内蔵される冷媒液の注入口部より、前記均一静磁場空間領域に対して外側に位置して配設したことを特徴とする磁石装置。
【請求項３】
請求項１に記載の磁石装置において、前記連結柱部を実質的に１つの構造体としたことを特徴とする磁石装置。
【請求項４】
請求項１に記載の磁石装置において、前記第１及び第２のクライオスタット部に内蔵される液冷媒の液面より前記冷凍機を上側に位置して配設したことを特徴とする磁石装置。
【請求項５】
請求項１〜請求項５の何れか一に記載の磁石装置を備えた磁気共鳴イメ−ジング装置。
【発明の詳細な説明】
【技術分野】
【０００１】
この発明は、生体の画像診断に利用されるＭＲＩ（Magnetic  Resonance  Imaging）装置（通称「磁気共鳴イメ−ジング装置」）に使用される磁石装置、及び磁気共鳴イメ−ジング装置に関するものである。
【背景技術】
【０００２】
磁気共鳴イメ−ジング装置は、磁石装置の形状により大別して円筒形と、一対の環状磁石部の間に球状の均一静磁場空間領域を形成する対向形とがあり、近年では、被検者に対する開放性や診断関係者の被検者へのアクセスの利便性の観点等で優れた対向形が主流になりつつある。この対向形の磁気共鳴イメ−ジング装置における球状の均一静磁場空間領域の磁界強度は、一般的には６０００〜１００００ガウスであり、その許容誤差は通常は数ｐｐｍである。尚、対向形の磁気共鳴イメ−ジング装置の大きさや重さは、例えば、高さ３ｍ前後、平面における最大奥行長２ｍ前後、重さ４０トン前後である。
【０００３】
前述のような対向形の磁気共鳴イメ−ジング装置においては、小型化、軽量化を図りつつ、球状の均一静磁場空間領域に磁界強度の均一性の確保、誤差の縮小を図ることが重要であり、例えば、特開２００２−１７７０５号公報（特許文献１）に見られるような対向形で、球状の均一静磁場空間領域における磁界強度の均一化を図る技術が開発されている。
【０００４】
図１１及び図１２は前記特許文献１に記載の磁気共鳴イメ−ジング装置の概略と、磁気共鳴イメ−ジング装置のクライオク−ラ（冷凍機）の取り外し作業例とを示す平面図及び側面図である。この図１１及び図１２に示すように前記特許文献１に記載の磁気共鳴イメ−ジング装置は、相互に離間して設けられた一対の磁性柱５で支えられる一対のクライオスタット２，４の間に球状の均一静磁場空間領域８を形成する対向形の磁気共鳴イメ−ジング装置であり、この磁気共鳴イメ−ジング装置においては、前記クライオスタット２，４内の超電導コイル等の主磁石１を冷却するクライオク−ラ（冷凍機）１４は、上部クライオスタット２の中心部に位置してその上側に配設されている。
【０００５】
磁気共鳴イメ−ジング装置における冷凍機は、通常、定期的（例えば年１回）に保守点検が行われ、その際には、冷凍機は磁気共鳴イメ−ジング装置から取り外される。一方、冷凍機は、その重量が２０ｋｇ前後あり、又、前記磁気共鳴イメ−ジング装置の大きさは前述のように高さ３ｍ前後、平面における最大奥行長２ｍ前後である。従って、冷凍機１４が上部クライオスタット２の中心部に位置してその上側に配設されていれば、図９及び図１０に示すように、前記定期的保守点検における前記冷凍機１４の取り外しの作業を行う場合は、例えば、被検者用ベッド７１の上に踏み台２４を置き、冷凍機保守員２５は、その踏み台２４の上に立って前かがみになって重量２０ｋｇ前後の冷凍機１４を取り外す必要があり、冷凍機取外作業の作業性がよくない。
【０００６】
【特許文献１】特開２００２−１７７０５号公報（図３及び図４とその説明）
【発明の開示】
【発明が解決しようとする課題】
【０００７】
前記特許文献１に記載のような従来の磁気共鳴イメ−ジング装置及びその磁石装置における冷凍機は、前述のように上部クライオスタット２の中心部に位置してその上側に配設されているので、前記定期的保守点検における前記冷凍機の取り外しの作業性がよくないので、その作業性を向上させる必要がある。
【０００８】
更に、冷凍機の駆動源として電動機が使用されている場合は、前記主磁石の強い磁場の中に冷凍機を設置すると、その電動機の特性低下や寿命低下を来たすことが懸念されるので、冷凍機は、冷凍機取外作業の作業性向上と併せて、前記主磁石部の磁場の影響を受け難くするのが好ましい。
【０００９】
この発明は、前述のような課題を解決するためになされたもので、磁石装置及び磁気共鳴イメ−ジング装置における冷凍機取り外しの作業性を向上させると共に、均一静磁場空間領域を形成する主磁石の磁場の影響を冷凍機が受け難くいようにすることを目的とするものである。
【課題を解決するための手段】
【００１０】
この発明に係る磁石装置は、冷凍機により冷却される冷媒液を夫々内蔵した第１及び第２のクライオスタット部を当該第１及び第２のクライオスタット部の相互間に当該第１及び第２のクライオスタット部の内蔵主磁石による均一静磁場空間領域が存在する空間が形成されように当該第１及び第２のクライオスタット部に跨って延在して連結する連結柱部を備えた磁石装置において、前記連結柱部の前記延在方向の投影面上に前記冷凍機を配設すると共に、前記冷凍機を通る前記主磁石の外域磁場を打ち消す方向の磁場を発生する外域磁場打消磁石を設けたものである。
【発明の効果】
【００１１】
この発明は、冷凍機により冷却される冷媒液を夫々内蔵した第１及び第２のクライオスタット部を当該第１及び第２のクライオスタット部の相互間に当該第１及び第２のクライオスタット部の内蔵主磁石による均一静磁場空間領域が存在する空間が形成されように当該第１及び第２のクライオスタット部に跨って延在して連結する連結柱部を備えた磁石装置において、前記連結柱部の前記延在方向の投影面上に前記冷凍機を配設すると共に、前記冷凍機を通る前記主磁石の外域磁場を打ち消す方向の磁場を発生する外域磁場打消磁石を設けたので、冷凍機取り外しの作業性が向上すると共に、均一静磁場空間領域形成する主磁石の磁場による冷凍機の特性低下や寿命低下を防止することができる効果がある。
【発明を実施するための最良の形態】
【００１２】
実施の形態１．
以下この発明の実施の形態１を図１〜図６により説明する。図１は対向形の磁気共鳴イメ−ジング装置全体の主要部の構成の一例を示す平面図、図２は図１のII−II線における断面を矢印方向に見た縦断側面図、図３は冷凍機取り外しの作業性について説明する為の平面図、図４は冷凍機取り外しの作業性について説明する為の側面図、図５は主磁石の磁場の影響について説明する為の平面図、図６は主磁石の磁場の影響について説明する為の側面図である。尚、各図中、同一符号は同一部分を示す。
【００１３】
図１〜図５において、対向形の磁気共鳴イメ−ジング装置は、環状の第１の主磁石１を内蔵し外観が円柱状の第１のクライオスタット部２と、環状の第２の主磁石３を内蔵し外観が円柱状の第２のクライオスタット部４と、前記第１のクライオスタット部２と前記第２のクライオスタット部４とに跨って延在し前記第１のクライオスタット部２と前記第２のクライオスタット部４とを各クライオスタット部２，４の外周部において連結する連結柱部５とから構成されている。
【００１４】
前記第１のクライオスタット部２と前記第２のクライオスタット部４とは、それらの前記環状の第１及び第２の主磁石１，３の各中心線６が図示のように同軸状になるように配設され、両者の対向面間には所定の空間７が、前記連結柱部５により保持されている。尚、前記空間７に、被検者の画像診断に必要な球状の均一静磁場空間領域８が存在する。又、前記空間７に、被検者を載せる被検者用ベッド７１が、矢印イ（図１参照）あるいは矢印ロ（図１参照）の方向に挿入される。
【００１５】
前記第１のクライオスタット部２は、周知のように、非磁性金属製の真空容器部２０１と、この真空容器部２０１内に当該真空容器部２０１の器壁から離間して配設されたヘリウム（Ｈｅ）容器などの冷媒容器（図示省略）と、この冷媒容器（図示省略）と前記真空容器部２０１との間に当該冷媒容器（図示省略）及び真空容器部２０１から離間して配設され前記真空容器部２０１から前記冷媒容器（図示省略）への輻射熱を遮る熱シ−ルド（図示省略）とから、主として構成されている。尚、前記冷媒容器（図示省略）内に超電導コイル等の前記第１の主磁石１が内蔵されている。
【００１６】
前記真空容器部２０１は、前記中心線６を中心線とする非磁性の円筒部2011と、この円筒部2011の両端に設けられた円板状の非磁性の端壁部2012，2013と、前記円筒部2011を囲繞し前記両端壁部2012，2013の各周面間に跨って延在している非磁性の周壁部2014とで構成されている。
【００１７】
尚、前記空間７側の前記端壁部2013には、前記空間７側にその中心が前記球状の均一静磁場空間領域８の中心６と同軸状となる円形凹み20131を形成する底壁部201311及び周壁部201312が設けられている。つまり、換言すれば、前記空間７側の前記端壁部2013を、その外周部近傍が前記空間７側に突出した構造とし、当該突出した円形壁部2015に連なる前記各周壁部2014，201312と当該円形壁部2015とにより前記真空容器部２０１の内側にド−ナツ状の凹み2016が形成されている。このド−ナツ状凹み2016内に、前記真空容器部２０１内の前記冷媒容器（図示省略）内に内蔵の前記第１の主磁石１が配設されている。
【００１８】
前記第１のクライオスタット部２内には、前記第１の主磁石１と前記円筒部2011との間に、前記円形凹み20131の底壁部201311に対向して環状の第１の調整磁石９１が配設されている。換言すれば、前記第１の調整磁石９１は、前記円筒部2011を囲繞し、前記第１の主磁石１に囲繞されており、その中心線は前記中心線６と同軸状である。尚、前記第１の調整磁石９１としては、例えば、前記真空容器部２０１内の前記冷媒容器（図示省略）内に内蔵された超電導コイルが使用される。
【００１９】
又、前記第１のクライオスタット部２内には、前記中心線６と同軸状をなす環状の外域磁場打消磁石１０，１１が設けられている。これら外域磁場打消磁石１０，１１としては、前記真空容器部２０１内の前記冷媒容器（図示省略）内に内蔵された超電導コイル、或は前記冷媒容器（図示省略）外の前記真空容器部２０１内に設けられた非超電導コイルが使用されている。又、前記外域磁場打消磁石１０は、前記真空容器部２０１の前記周壁部2014に近接して設けられ、前記外域磁場打消磁石１１は、前記外域磁場打消磁石１０より前記円筒部2011寄りに設けられている。
【００２０】
前記第２のクライオスタット部４は、周知のように、非磁性金属製の真空容器部４０１と、この真空容器部４０１内に当該真空容器部４０１の器壁から離間して配設されたヘリウム（Ｈｅ）容器などの冷媒容器（図示省略）と、この冷媒容器（図示省略）と前記真空容器部４０１との間に当該冷媒容器（図示省略）及び真空容器部４０１から離間して配設され前記真空容器部４０１から前記冷媒容器（図示省略）への輻射熱を遮る熱シ−ルド（図示省略）とから、主として構成されている。尚、前記冷媒容器（図示省略）内に超電導コイル等の前記第２の主磁石３が内蔵されている。
【００２１】
前記真空容器部４０１は、前記中心線６を中心線とする非磁性の円筒部4011と、この円筒部4011の両端に設けられた円板状の非磁性の端壁部4012，4013と、前記円筒部4011を囲繞し前記両端壁部4012，4013の各周面間に跨って延在している周壁部4014とで構成されている。
【００２２】
尚、前記空間７側の前記端壁部4013には、前記空間７側にその中心が前記球状の均一静磁場空間領域８の中心６と同軸状となる円形凹み40131を形成する底壁部401311及び周壁部401312が設けられている。つまり、換言すれば、前記空間７側の前記端壁部4013を、その外周部近傍を前記空間７側に突出した形状とし、当該突出した円形壁部4015に連なる前記各周壁部4014，401312と当該円形壁部4015とにより前記真空容器部４０１の内側にド−ナツ状の凹み4016が形成されている。このド−ナツ状凹み4016内に、前記真空容器部４０１内の前記冷媒容器（図示省略）内に内蔵の前記第２の主磁石３が配設されている。
【００２３】
前記第２のクライオスタット部４内には、前記第２の主磁石３と前記円筒部4011との間に、前記円形凹み40131の底壁部401311に対向して環状の第２の調整磁石９２が配設されている。換言すれば、前記第２の調整磁石９２は、前記円筒部4011を囲繞し、前記第２の主磁石３に囲繞されおり、その中心線は前記中心線６と同軸状である。尚、前記第２の調整磁石９２としては、例えば前記真空容器部４０１内の前記冷媒容器（図示省略）内に内蔵された超電導コイルが使用される。
【００２４】
又、前記第２のクライオスタット部４内には、前記中心線６と同軸状をなす環状の外域磁場打消磁石１２，１３が設けられている。これら外域磁場打消磁石１２，１３としては、前記真空容器部４０１内の前記冷媒容器（図示省略）内に内蔵された超電導コイル、或は前記冷媒容器（図示省略）外の前記真空容器部４０１内に設けられた非超電導コイルが使用されている。又、前記外域磁場打消磁石１２は、前記真空容器部４０１の前記周壁部4014に近接して設けられ、前記外域磁場打消磁石１３は、前記外域磁場打消磁石１２より前記円筒部4011寄りに設けられている。換言すれば、前記外域磁場打消磁石１３は、前記円筒部4011を囲繞し、前記外域磁場打消磁石１２に囲繞されている。
【００２５】
前記連結柱部５は、非磁性の支持骨部５０１と、この支持骨部５０１を内蔵する非磁性の外壁部５０２とから構成されており、前記第１のクライオスタット部２と第２のクライオスタット部４とを支えている。
【００２６】
前記支持骨部５０１は、非磁性の前部支柱部5011と、非磁性の後部支柱部5012と、非磁性の端部支柱部5013,5014とで構成されている。又、前記前部支柱部5011と、前記後部支柱部5012と、前記端部支柱部5013,5014とは溶接などにより一体化されている。
【００２７】
前記外壁部５０２は、非磁性の前壁部5021と、非磁性の後壁部5022と、非磁性の端壁部5023,5024と、非磁性の上壁部5025と、非磁性の底壁部5026とで構成されている。又、前記前壁部5021と、前記後壁部5022と、前記端壁部5023,5024、前記上壁部5025と、前記底壁部5026とは溶接などにより一体化されている。更に又、この外壁部５０２と前記支持骨部５０１とは溶接などにより一体化され、１つの構造体となっている。尚、１つの構造体となっている連結柱部５を前記第１及び第２のクライオスタット部２，４の周方向に複数個連結してそれら複数個の連結柱部を１つの構造体としてもよい。つまり、連結柱部５は実質的に１つの構造体とすればよい。このように前記連結柱部５を実質的に１つの構造体とすれば、前述の特許文献１に記載のような相互に離間した２つの連結柱部を設けてある場合に比べ、磁気共鳴イメ−ジング装置を据え付ける部屋内における当該磁気共鳴イメ−ジング装置の配置の自由度が向上する。
【００２８】
尚、前記連結柱部５は、その前記外壁部５０２は内部が真空の真空容器となっており、後述の冷媒連通管１８を内蔵し、前記外壁部５０２から当該冷媒連通管１８への輻射熱を遮る熱シ−ルド（図示省略）も内蔵している。又、前記連結柱部５の前記上壁部5025には、冷凍機１４及び非磁性の冷媒注入口部１５が設けられている。
【００２９】
前記冷凍機１４は、その動力源は電動機であり、前記上壁部5025の上側つまり外側に位置し、前記真空容器部２０１内における前記冷媒容器（図示省略）内の冷媒を冷却して前記冷媒容器（図示省略）内へ連通路１６を介して戻すと共に、前記真空容器部２０１内の前記熱シ−ルド（図示省略）を、前記真空容器部２０１の温度と前記冷媒容器（図示省略）の温度との中間の温度まで冷却するために設けられている。又、冷凍機１４は、前記冷媒容器（図示省略）内の液冷媒2017の液面20171より高い位置に配設されている。従って、前記冷媒容器（図示省略）内の液冷媒が液化ヘリウム（Ｈｅ）の場合、つまり前記冷媒容器（図示省略）内の前記第１の主磁石１及び前記第２の主磁石３が液化ヘリウム（Ｈｅ）により極低温に冷却される超電導コイルの場合には、前記冷凍機１４が前記真空容器部２０１内における前記冷媒容器（図示省略）内のヘリウム（Ｈｅ）ガスを冷却することによって液化したヘリウム（Ｈｅ）は、自重により前記連通路１６内に入り、当該連通路１６内に入った液化ヘリウムは、自重により前記冷媒容器（図示省略）内へ戻る。尚、前記冷凍機１４は、定期的な保守点検時には、前記上壁部5025から取り外される。
【００３０】
前記冷媒注入口部１５は、前記上壁部5025の上側つまり外側に位置し、前記真空容器部２０１内の前記冷媒容器（図示省略）内へ連通路１７を介して注入するために設けられている。前記冷媒容器（図示省略）内の液冷媒が液化ヘリウム（Ｈｅ）の場合、つまり前記冷媒容器（図示省略）内の前記第１の主磁石１及び前記第２の主磁石３が超電導コイルの場合には、前記冷媒注入口部１５から前記真空容器部２０１内における前記冷媒容器（図示省略）内へ液化ヘリウム（Ｈｅ）が注入される。又、前記冷媒注入口部１５は、前記真空容器部２０１内における前記冷媒容器（図示省略）内の冷媒ガスを抜き出す場合にも使用される。
【００３１】
尚、前記第１のクライオスタット部２の前記真空容器部２０１内における前記冷媒容器（図示省略）と第２のクライオスタット部４の前記真空容器部４０１内における前記冷媒容器（図示省略）とは冷媒連通管１８を介して連通されており、前記第１のクライオスタット部２の前記冷媒容器（図示省略）内の液冷媒は前記第２のクライオスタット部４の前記冷媒容器（図示省略）内へ前記連通管１８を介して供給される。尚、前記液冷媒が液化ヘリウム（Ｈｅ）の場合は、当該液冷媒はその自重により前記第１のクライオスタット部２の前記冷媒容器（図示省略）内から前記第２のクライオスタット部４の前記冷媒容器（図示省略）内へ入っていく。
【００３２】
前記第１のクライオスタット部２の前記円形凹み20131における前記底壁部201311には、その前記球状の均一静磁場空間領域８側の面に、円板状のシム取付部材１９１が取り付けられている。この円板状のシム取付部材１９１は、前記球状の均一静磁場空間領域８の中心線６と同軸状に配設されている。又、このシム取付部材１９１の前記均一静磁場空間領域８側の面には多数のシム取付穴（図１参照）1911が配設されており、この多数のシム取付穴1911のうちの必要な位置のシム取付穴には、磁性片からなるシム（ｓｈｉｍ）（以下、「第１のシム」と呼称する）19111（図１参照）が着脱可能に螺着されている。
【００３３】
前記円形凹み20131における前記周壁部201312の内周面（前記球状の均一静磁場空間領域８側の面）に、当該周壁部201312の中心線６方向に延在（即ち、当該周壁部201312の中心線６と平行に延在）する多数のシム（以下、「第２のシム」と呼称する）２０２が、当該周壁部201312の全周に亘って必要な間隔で、当該周壁部201312に着脱可能に取り付けられている。
【００３４】
前記第２のクライオスタット部４の前記円形凹み40131における前記底壁部401311には、その前記球状の均一静磁場空間領域８側の面に、円板状のシム取付部材１９２が取り付けられている。この円板状のシム取付部材１９２は、前記球状の均一静磁場空間領域８の中心線６と同軸状に配設されている。又、このシム取付部材１９２には、前記第１のクライオスタット部２側の前記シム取付部材１９１と同様に、その前記均一静磁場空間領域８側の面には多数のシム取付穴（図示省略）が設けられており、この多数のシム取付穴のうちの必要な位置のシム取付穴には、前記第１のクライオスタット部２側の前記第１のシム19111と同様に、磁性片からなるシム（以下、「第３のシム」と呼称する）（図示省略）が着脱可能に螺着されている。
【００３５】
前記円形凹み40131における前記周壁部401312の内周面（前記球状の均一静磁場空間領域８側の面）に、当該周壁部401312の中心線６方向に延在（即ち、当該周壁部401312の中心線６と平行に延在）する多数のシム（以下、「第４のシム」と呼称する）２０３が、当該周壁部401312の全周に亘って必要な間隔で、当該周壁部401312に着脱可能に取り付けられている。
【００３６】
前記第１のクライオスタット部２の前記円形凹み20131には、前記シム取付部材１９１、前記第１のシム19111、及び前記第２のシム２０２と所定の空隙ｇを介して第１の傾斜磁場コイル２１１が設けられている。この第１の傾斜磁場コイル２１１は、通常はＸ軸傾斜磁場コイルとＹ軸傾斜磁場コイルとＺ軸傾斜磁場コイルとを絶縁材料で一体化して構成され、又、前記底壁部201311に隣接する前記熱シ−ルド（図示省略）に前記Ｘ軸傾斜磁場コイルとＹ軸傾斜磁場コイルとＺ軸傾斜磁場コイルとによる磁界によって生じる渦電流を抑制するシ−ルドコイルを前記底壁部201311側に有している場合もある。
【００３７】
尚、前記所定の空隙ｇとは、前記第１の傾斜磁場コイル２１１に所定の数百アンペアのパルス電流が供給された際に生じる当該第１の傾斜磁場コイル２１１の振動によって、当該第１の傾斜磁場コイル２１１が、前記第１のクライオスタット部２側の前記シム取付部材１９１、前記第１のシム19111、前記第２のシム２０２等の各部材に接触しないように確保してある空隙である。
【００３８】
又、図示してないが、前記第１の傾斜磁場コイル２１１は、前記第１のクライオスタット部２、前記第２のクライオスタット部４、及び前記連結柱部５とは非接触の支持体により、前記第２のクライオスタット部４及び前記連結柱部５と同様に据付フロア２２上に取り付けられたり、振動吸収機構や振動吸収部材を介して前記連結柱部５に取り付けられたりしている。
【００３９】
前記第１の傾斜磁場コイル２１１の前記均一静磁場空間領域８側には、当該均一静磁場空間領域８に対応して第１の高周波コイル（ＲＦコイルとも言われる）２３１が配設されている。
【００４０】
前記第２のクライオスタット部４の前記円形凹み40131には、前記シム取付部材１９２、前記第３のシム（図示省略）、及び前記第４のシム２０３と所定の空隙ｇを介して第２の傾斜磁場コイル２１２が設けられている。この第２の傾斜磁場コイル２１２は、通常はＸ軸傾斜磁場コイルとＹ軸傾斜磁場コイルとＺ軸傾斜磁場コイルとを絶縁材料で一体化して構成され、又、前記底壁部401311に隣接する前記熱シ−ルド（図示省略）に前記Ｘ軸傾斜磁場コイルとＹ軸傾斜磁場コイルとＺ軸傾斜磁場コイルとによる磁界によって生じる渦電流を抑制するシ−ルドコイルを前記底壁部401311側に有している場合もある。
【００４１】
尚、前記所定の空隙ｇとは、前記第２の傾斜磁場コイル２１２に所定の数百アンペアのパルス電流が供給された際に生じる当該第２の傾斜磁場コイル２１２の振動によって、当該第２の傾斜磁場コイル２１２が、前記第２のクライオスタット部４側の前記シム取付部材１９２、前記第３のシム（図示省略）、前記第４のシム２０３等の各部材に接触しないように確保してある空隙である。
【００４２】
又、図示してないが、前記第２の傾斜磁場コイル２１２は、前記第１のクライオスタット部２、前記第２のクライオスタット部４、及び前記連結柱部５とは非接触の支持体により、前記第２のクライオスタット部４及び前記連結柱部５と同様に据付フロア２２上に取り付けられたり、振動吸収機構や振動吸収部材を介して前記連結柱部５に取り付けられたりしている。
【００４３】
前記第２の傾斜磁場コイル２１２の前記均一静磁場空間領域８側には、当該均一静磁場空間領域８に対応して第２の高周波コイル（ＲＦコイルとも言われる）２３２が配設されている。
【００４４】
次に前記各磁石や各コイルの機能、及び前記各磁石や各コイル、シムの相対的機能について説明する。
【００４５】
前記第１のクライオスタット部２側の前記第１の主磁石１及び前記第２のクライオスタット部４側の前記第２の主磁石３は、両者で、前記球状均一静磁場空間領域８及びその近傍に図示矢印で示すような前記第１のクライオスタット部２から前記第２のクライオスタット部４へ向かう均一静磁場を発生する。
【００４６】
前記第１のクライオスタット部２側の前記第１の調整磁石９、前記第２のクライオスタット部４側の前記第２の調整磁石１０、前記第１のクライオスタット部２側の前記シム取付部材１９１に取り付けられた第１のシム19111、前記第２のクライオスタット部４側の前記シム取付部材１９２に取り付けられた第３のシム（図示省略）、前記第１のクライオスタット部２側の前記第２のシム２０２、及び前記第２のクライオスタット部４側の前記第４のシム２０３は、それらにより、前記球状均一静磁場空間領域８における前記第１の主磁石１及び前記第２の主磁石３による均一静磁場の均一度を、前記許容誤差の数ｐｐｍまで上げるものである。
【００４７】
前記第１のクライオスタット部２側の前記外域磁場打消磁石１０，１１、及び前記第２のクライオスタット部４側の前記外域磁場打消磁石１２，１３は、前記連結柱部５の上部（前記冷凍機１４が在る部分）、前記球状均一静磁場空間領域８より遠い側、及び前記連結柱部５の各部Ａ，Ｂ，Ｃ，Ｄにおける前記第１の主磁石１及び前記第２の主磁石３の外域磁場（図２に点線矢印131Oで示してある磁場）を打ち消す方向に磁場（図２に、前記点線矢印と逆方向の一点鎖線1113で示してある磁場（前記外域磁場と逆方向の磁場））を発生し、前記連結柱部５の前記各部Ａ，Ｂ，Ｃ，Ｄにおける前記第１の主磁石１及び前記第２の主磁石３の外域磁場（図２に点線矢印で示してある磁場）の強さを、前記冷凍機１４の電動機の特性低下や寿命低下を来たさない或は軽減する強さまで抑制するものである。
【００４８】
尚、前記連結柱部５の各部Ａ，Ｂ，Ｃ，Ｄは、当該連結柱部５をその前記延在方向（矢印ハの方向）に見た投影面上、即ち当該連結柱部５の前記延在方向の投影面上、に存在する。
【００４９】
次に、定期的保守点検等における前記冷凍機１４の取り外しの作業性について、図３及び図４により説明する。
【００５０】
冷凍機１４の取り外しの作業は、連結柱部５の横に踏み台２４を置き、冷凍機保守員２５が、この踏み台２４の上に立って行う。その場合、前述の図１１及び図１２に示す従来のように前かがみになって冷凍機１４の取外作業をする必要は無く、図示のように、通常に立った自然の姿勢で、冷凍機固定ボルト（図示省略）を緩める作業、及び冷凍機１４の取外作業をすることができ、当該取外作業の作業性は明らかに向上する。尚、冷凍機１４の取外作業において、冷凍機保守員２５は、通常に立った自然の姿勢で、冷凍機１４を両手で持ち上げ、矢印ニの方向に動かす。
【００５１】
次に、前記冷凍機１４を前記連結柱部５の前記延在方向の投影面上に配設した場合の前記第１の主磁石１及び前記第２の主磁石３の磁場の影響について、図５及び図６により説明する。
【００５２】
前記連結柱部５の前記延在方向の投影面上の各部Ａ，Ｂ，Ｃ，Ｄは、前記第１の主磁石１及び前記第２の主磁石３から遠い部分であり、当該第１の主磁石１及び前記第２の主磁石３の磁場が弱い領域、つまり当該第１の主磁石１及び前記第２の主磁石３の外域磁場の領域である。従って、前記冷凍機１４が設けられているＡの部分、前記各部Ｂ，Ｃ，Ｄ等、所謂前記連結柱部５の前記延在方向の投影面上には前記冷凍機１４を設置しても当該冷凍機の電動機の特性低下や寿命低下を来たしにくい。
【００５３】
好ましくは、連結柱部５をその前記延在方向（図６の矢印ハの方向）に見て前記第１のクライオスタット部２及び前記第２のクライオスタット部４と重ならない投影面上、即ち当該連結柱部５の前記延在方向に前記第１のクライオスタット部２及び前記第２のクライオスタット部４と重ならない当該連結柱部５の投影面（図５においてハッチングを施した部分）上、は、前記連結柱部５の前記延在方向の投影面の中でも当該第１の主磁石１及び前記第２の主磁石３から遠い領域であるので、前記第１の主磁石１及び前記第２の主磁石３による前記外域磁場が更に弱く、従って、当該連結柱部５の前記延在方向に前記第１のクライオスタット部２及び前記第２のクライオスタット部４と重ならない当該連結柱部５の投影面上に前記冷凍機１４を設置した場合、当該冷凍機の電動機の特性低下や寿命低下は更に来たしにくくなる。
【００５４】
更に好ましくは、前記連結柱部５の前記延在方向に前記第１のクライオスタット部２及び前記第２のクライオスタット部４と重ならない当該連結柱部５の投影面のうち、前記環状の第１及び第２のクライオスタット部２，４の径方向外側の部分は、前記第１の主磁石１及び前記第２の主磁石３による前記の磁場が一層弱く、従って、当該径方向外側の部分に前記冷凍機１４を設置した場合、当該冷凍機の電動機の特性低下や寿命低下は一層来たしにくくなる。
【００５５】
ここで、前記第１及び第２の主磁石１，３の前記外域磁場を打ち消す方向に磁場を発生する前記外域磁場打消磁石１０，１１，１２，１３を設ければ、前記冷凍機１４が設けられているＡの部分、前記各部Ｂ，Ｃ，Ｄ等、所謂前記連結柱部５の前記延在方向の投影面においては、前記第１及び第２の主磁石１，３の外域磁場は更に無視し得るほど弱くでき、前記連結柱部５の前記延在方向の投影面上に前記冷凍機１４を設けても、当該冷凍機の電動機の特性低下や寿命低下は殆ど来たさなくなる。
【００５６】
尚、前記外域磁場打消磁石１０〜１３を設けることにより、前記球状均一静磁場空間領域８における前記第１の主磁石１及び前記第２の主磁石３による磁場の強さは若干低減するので、前記第１の主磁石１及び前記第２の主磁石３による磁場の強さは、前記外域磁場打消磁石１０〜１３を設けない場合に比べて大きくして前記球状均一静磁場空間領域８における磁場の強さを所定の強さにしてある。
【００５７】
又、前記連結柱部５は、その前記支持骨部５０１及び前記外壁部５０２の何れも非磁性としてあるが、これら支持骨部５０１及び外壁部５０２の少なくとも一を磁性にした場合は、当該磁性の支持骨部５０１及び外壁部５０２の少なくとも一に前記第１の主磁石１及び前記第２の主磁石３による磁場が集中するので、前記各部Ａ，Ｂ，Ｃ，Ｄ等、所謂前記連結柱部５の前記延在方向の投影面における磁場が強くなるので、その場合は、前記第１及び第２の主磁石１，３の前記外域磁場を打ち消す方向に磁場を発生する前記外域磁場打消磁石１０，１１，１２，１３の発生磁場を、前記支持骨部５０１及び前記外壁部５０２の何れもが非磁性の場合に比べて大きくする必要があり、その分、前記第１の主磁石１及び前記第２の主磁石３による磁場の強さを更に強くして前記球状均一静磁場空間領域８における磁場の強さを所定の強さにする必要がある。
【００５８】
この発明の実施の形態１は、前述のように、冷凍機１４により冷却される冷媒液2017を夫々内蔵した第１及び第２のクライオスタット部２，４を当該第１及び第２のクライオスタット部２，４の相互間に当該第１及び第２のクライオスタット部２，４の内蔵主磁石１，３による均一静磁場空間領域８が存在する空間７が形成されように当該第１及び第２のクライオスタット部２，４に跨って延在して連結する連結柱部５を備えた磁石装置において、前記連結柱部５の前記延在方向の投影面上に前記冷凍機１４を配設すると共に、前記冷凍機１４を通る前記主磁石１，３の外域磁場を打ち消す方向に磁場を発生する外域磁場打消磁石１０，１１，１２，１３を設けてあるので、前述のように、冷凍機取り外しの作業性が向上し、しかも冷凍機１４は均一静磁場空間領域８を形成する第１及び第２の主磁石１，３の磁場の影響を受け難くなる。
【００５９】
又、この発明の実施の形態１は、前述のように、冷凍機１４により冷却される冷媒液2017を夫々内蔵した第１及び第２のクライオスタット部２，４を当該第１及び第２のクライオスタット部２，４の相互間に当該第１及び第２のクライオスタット部部２，４の内蔵主磁石１，３による均一静磁場空間領域８が存在する空間７が形成されように当該第１及び第２のクライオスタット部２，４に跨って延在して連結する連結柱部５を備えた磁石装置において、前記連結柱部５の前記延在方向の投影面上に前記冷凍機１４を配設すると共に、前記冷凍機１４を通る前記主磁石１，３の外域磁場を打ち消す方向に磁場を発生する外域磁場打消磁石１０，１１，１２，１３を設けてあり、しかも、前記連結柱部を実質的に１つの構造体としてあるので、前述のように、冷凍機取り外しの作業性が向上し、しかも冷凍機１４は均一静磁場空間領域８を形成する第１及び第２の主磁石１，３の磁場の影響を受け難くなり、しかも、磁気共鳴イメ−ジング装置を据え付ける部屋内における当該磁気共鳴イメ−ジング装置の配置の自由度が向上する。
【００６０】
又、この発明の実施の形態１は、前述のように、冷凍機１４により冷却される冷媒液2017を夫々内蔵した第１及び第２のクライオスタット部２，４を当該第１及び第２のクライオスタット部２，４の相互間に当該第１及び第２のクライオスタット部部２，４の内蔵主磁石１，３による均一静磁場空間領域８が存在する空間７が形成されように当該第１及び第２のクライオスタット部２，４に跨って延在して連結する連結柱部５を備えた磁石装置において、前記連結柱部５の前記延在方向の投影面上に前記冷凍機１４を配設すると共に、前記冷凍機１４を通る前記主磁石１，３の外域磁場を打ち消す方向に磁場を発生する外域磁場打消磁石１０，１１，１２，１３を設けてあり、しかも、前記第１及び第２のクライオスタット部２，４に内蔵される液冷媒2017の液面20171より前記冷凍機１４を上側に位置して配設してあるので、前述のように、冷凍機取り外しの作業性が向上し、しかも冷凍機１４は均一静磁場空間領域８を形成する第１及び第２の主磁石１，３の磁場の影響を受け難くなり、しかも、前記冷凍機１４が前記真空容器部２０１内における前記冷媒容器（図示省略）内の冷媒ガスを冷却することによって液化した液冷媒は、自重により前記連通路１６内に入り、当該連通路１６内に入った液冷媒は、自重により前記冷媒容器（図示省略）内へ戻る。
【００６１】
又、この発明の実施の形態１は、前述のように、冷凍機１４により冷却される冷媒液2017を夫々内蔵した第１及び第２のクライオスタット部２，４を当該第１及び第２のクライオスタット部２，４の相互間に当該第１及び第２のクライオスタット部２，４の内蔵主磁石１，３による均一静磁場空間領域８が存在する空間７が形成されように当該第１及び第２のクライオスタット部２，４に跨って延在して連結する連結柱部５、及び前記均一静磁場空間領域８に傾斜磁場を形成する傾斜磁場コイル２１１を備えた磁気共鳴イメ−ジング装置において、前記連結柱部５の前記延在方向の投影面上に前記冷凍機１４を配設すると共に、前記連結柱部５及び前記冷凍機１４を通る前記主磁石１，３の外域磁場を打ち消す方向の磁場を発生する外域磁場打消磁石１０，１１，１２，１３を設けてあるので、前述のように、冷凍機取り外しの作業性が向上し、しかも冷凍機１４は均一静磁場空間領域８を形成する第１及び第２の主磁石１，３の磁場の影響を受け難くなる。
【００６２】
実施の形態２．
以下この発明の実施の形態２を図７〜図１０により説明する。図７は対向形の磁気共鳴イメ−ジング装置全体の主要部の構成の一例を示す平面図、図８は図７のVIII−VIII線における断面を矢印方向に見た断面図である。図９は冷凍機取り外しの作業性について説明する為の平面図、図１０は冷凍機取り外しの作業性について説明する為の側面図である。尚、各図中、同一符号は同一部分を示す。又、図７〜図１０において、前述の図１〜図６と同一又は相当する部分には図１〜図６と同一符号を付し、図１〜図６と異なる部分について主体的に説明する。
【００６３】
この発明の実施の形態２は、図７及び図８に示すように、前記冷凍機１４を、前記冷媒注入口部１５の外側に配設したものである。具体的には、前記冷凍機１４を、前記冷媒注入口部１５に対し、前記第１及び第２のクライオスタット部２，４の径方向外側に配設してある。
【００６４】
このように前記冷凍機１４を、前記冷媒注入口部１５の外側に配設した場合は、冷凍機保守員２５は、踏み台２４の上に通常に立った自然の姿勢で冷凍機１４の取外作業を行えるのは勿論、前述のこの発明の実施の形態１における図３のように２０ｋｇ前後の重さの冷凍機１５を踏み台２４の上の限られた範囲内で保守員側へ（即ち、矢印ニの方向へ）動かさずに済む。つまり、冷凍機１４の取外作業において、図７及び図８に示すように、冷凍機保守員２５は、通常に立った自然の姿勢で、冷凍機１４を両手で持ち上げ、外側へ（即ち、矢印ホの方向へ）動かすことができ、作業性が更に向上する。
【００６５】
又、冷凍機１４を外側へ動かすことができれば、冷凍機１４の取外作業中に、冷凍機１４を過って冷媒注入口部１５に当てて冷媒注入口部１５を損傷する可能性は皆無に近くなる。
【００６６】
更に又、前述のように、前記冷凍機１４を、前記冷媒注入口部１５の外側に配設してあるので、前記冷凍機１４の位置が、前記冷媒注入口部１５の内側に配設してある前述のこの発明の実施の形態１の場合に比べて、前記第１及び第２の主磁石１，３から、より遠い位置となり、前記第１及び第２の主磁石１，３による前記外域磁場が更に一層弱い位置となる。従って、前記冷凍機１４の電動機の特性低下や寿命低下は更に一層来たしにくくなる。
【図面の簡単な説明】
【００６７】
【図１】この発明の実施の形態１を示す図で、対向形の磁気共鳴イメ−ジング装置全体の主要部の構成の一例を示す平面図である。
【図２】この発明の実施の形態１を示す図で、図１のII−II線における断面を矢印方向に見た断面図である。
【図３】この発明の実施の形態１における冷凍機取り外しの作業性について説明する為の平面図である。
【図４】この発明の実施の形態１における冷凍機取り外しの作業性について説明する為の側面図である。
【図５】この発明の実施の形態１における主磁石の磁場の影響について説明する為の平面図である。
【図６】この発明の実施の形態１における主磁石の磁場の影響について説明する為の側面図である。
【図７】この発明の実施の形態２を示す図で、対向形の磁気共鳴イメ−ジング装置全体の主要部の構成の他の事例を示す平面図である。
【図８】この発明の実施の形態２を示す図で、図７のVIII−VIII線における断面を矢印方向に見た断面図である。
【図９】この発明の実施の形態２における冷凍機取り外しの作業性について説明する為の平面図である。
【図１０】この発明の実施の形態２における冷凍機取り外しの作業性について説明する為の側面図である。
【図１１】従来装置における冷凍機取り外しの作業性について説明する為の平面図である。
【図１２】従来装置における冷凍機取り外しの作業性について説明する為の側面図である。
【符号の説明】
【００６８】
１    第１の主磁石、
２    第１のクライオスタット部、
２０１    真空容器部、
2011    円筒部、
2012    端壁部、
2013    端壁部、
20131    円形凹み、
201311    底壁部、
201312    周壁部、
2014    端壁部、
2015    円形壁部、
2016    ド−ナツ状凹み、
2017    液冷媒、
20171    液冷媒の液面、
３    第２の主磁石、
４    第２のクライオスタット部、
４０１    真空容器部、
4011    円筒部、
4012    端壁部、
4013    端壁部、
40131    円形凹み、
401311    底壁部、
401312    周壁部、
4014    周壁部、
4015    円形壁部、
4016    ド−ナツ状凹み、
５    連結柱部、
５０１    支持骨部、
5011    前部支柱部、
5012    後部支柱部、
5013    端部支柱部、
5014    端部支柱部、
５０２    外壁部、
5021    前壁部、
5022    後壁部、
5023    端壁部、
5024    端壁部、
5025    上壁部、
5026    底壁部、
６    中心（中心線）、
７    空間、
７１    被者用ベッド、
８    均一静磁場空間領域、
９１    第１の調整磁石、
９２    第２の調整磁石、
１０    外域磁場打消磁石、
１１    外域磁場打消磁石、
１２    外域磁場打消磁石、
１３    外域磁場打消磁石、
１４    冷凍機、
１５    冷媒注入口部、
１６    連通路、
１７    連通路、
１８    連通管、
１９１    シム取付部材、
1911    シム取付穴
19111    第１のシム、
１９２    シム取付部材、
２０２    第２のシム、
２０３    第４のシム、
２１１    第１の傾斜磁場コイル、
２１２    第２の傾斜磁場コイル、
２２    据付フロア、
２３１    第１の高周波コイル、
２３２    第２の高周波コイル
２４    踏み台、
２５    冷凍機保守員。
【図１】
2005185550.tif 000003
【図２】
2005185550.tif 000004
【図３】
2005185550.tif 000005
【図４】
2005185550.tif 000006
【図５】
2005185550.tif 000007
【図６】
2005185550.tif 000008
【図７】
2005185550.tif 000009
【図８】
2005185550.tif 000010
【図９】
2005185550.tif 000011
【図１０】
2005185550.tif 000012
【図１１】
2005185550.tif 000013
【図１２】
2005185550.tif 000014